【事件の表示】
　商願２０１３−２５５拒絶査定不服審判事件について，次のとおり審決する。
【結　論】
　原査定を取り消す。
　本願商標は，登録すべきものとする。
【理　由】
１　本願商標
　本願商標は，「ＥＬＭＥＳ」の欧文字を標準文字で表してなり，第６類「建築用又は構築用の金属製専用材料，金属製建造物組立てセット，金属製金具，金属製のネームプレート及び標札，金属製帽子掛けかぎ，金属製のタオル用ディスペンサー，金属製建具，金庫」を指定商品として，平成２５年１月７日に登録出願されたものである。
２　引用商標
　原査定において，本願商標が商標法４条１項１１号に該当するとして，本願の拒絶の理由に引用した登録商標（以下「引用各商標」という。）は，以下の（１）ないし（１６）であり，その商標権は，いずれも現に有効に存続しているものである。
（１）登録第２０６４６５９号（以下「引用商標１」という。）
商標の態様　別掲１のとおり
登録出願日　昭和５９年７月３１日
設定登録日　昭和６３年７月２２日
書換登録日　平成２１年２月２５日
指定商品　　第４類，第６類，第８類，第１１類，第１６類，第１８類，第２０類，第２１類，第２４類及び第２６類ないし第２８類に属する商標登録原簿に記載の商品
（２）登録第２１３５５４０号（以下「引用商標２」という。）
商標の態様　別掲１のとおり
登録出願日　昭和５５年１０月９日
設定登録日　平成元年４月２８日
書換登録日　平成２１年７月２２日
指定商品　　第６類，第１４類，第１６類，第２０類，第２１類，第２４類及び第２７類に属する商標登録原簿に記載の商品
（３）登録第２１３５５４１号（以下「引用商標３」という。）
商標の態様　別掲２のとおり
登録出願日　昭和５６年９月４日（優先権主張　フランス共和国　１９８１年５月２２日商標登録出願）
設定登録日　平成元年４月２８日
書換登録日　平成２１年７月２２日
指定商品　　第１４類，第１６類，第２０類，第２１類及び第２４類に属する商標登録原簿に記載の商品
（４）登録第４２３５６０２号（以下「引用商標４」という。）
商標の態様　別掲３のとおり
登録出願日　平成７年１月１３日
設定登録日　平成１１年１月２９日
指定商品　　第１４類に属する商標登録原簿に記載の商品
（５）登録第４３４１４２１号（以下「引用商標５」という。）
商標の態様　別掲４のとおり
登録出願日　平成１０年２月２７日
設定登録日　平成１１年１２月３日
指定商品　　第１８類に属する商標登録原簿に記載の商品
（６）登録第４３４７９７３号（以下「引用商標６」という。）
商標の態様　「エルメス」（標準文字）
登録出願日　平成９年１２月１７日
設定登録日　平成１１年１２月２４日
指定商品　　第１８類に属する商標登録原簿に記載の商品
（７）登録第４３６２７７１号（以下「引用商標７」という。）
商標の態様　別掲５のとおり
登録出願日　平成１１年４月１５日
設定登録日　平成１２年２月１８日
指定商品　　第１４類に属する商標登録原簿に記載の商品
（８）登録第４４１４２９７号（以下「引用商標８」という。）
商標の態様　別掲６のとおり
登録出願日　平成１１年１０月２７日
設定登録日　平成１２年９月１日
指定商品　　第２４類及び第２６類に属する商標登録原簿に記載の商品
（９）登録第４４６７４３４号（以下「引用商標９」という。）
商標の態様　別掲７のとおり
登録出願日　平成１２年６月１９日
設定登録日　平成１３年４月１３日
指定商品　　第１８類に属する商標登録原簿に記載の商品
（１０）登録第４５０８１７９号（以下「引用商標１０」という。）
商標の態様　別掲８のとおり
登録出願日　平成１２年１１月１６日
設定登録日　平成１３年９月２１日
指定商品　　第１４類に属する商標登録原簿に記載の商品
（１１）登録第５２７３８４９号（以下「引用商標１１」という。）
商標の態様　別掲７のとおり
登録出願日　平成２１年２月２５日
設定登録日　平成２１年１０月１６日
指定商品　　第１４類に属する商標登録原簿に記載の商品
（１２）登録第５３９１００８号（以下「引用商標１２」という。）
商標の態様　別掲９のとおり
登録出願日　平成２２年６月７日（優先権主張　フランス共和国　２００９年１２月８日商標登録出願）
設定登録日　平成２３年２月１０日
指定商品　　第１４類に属する商標登録原簿に記載の商品
（１３）登録第５３９１０１４号（以下「引用商標１３」という。）
商標の態様　別掲９のとおり
登録出願日　平成２２年６月７日（優先権主張　フランス共和国　２００９年１２月８日商標登録出願）
設定登録日　平成２３年２月１０日
指定商品　　第２６類に属する商標登録原簿に記載の商品
（１４）登録第５３９７７１２号（以下「引用商標１４」という。）
商標の態様　別掲９のとおり
登録出願日　平成２２年６月７日（優先権主張　フランス共和国　２００９年１２月８日商標登録出願）
設定登録日　平成２３年３月１１日
指定商品　　第２０類に属する商標登録原簿に記載の商品
（１５）登録第５３９７７１３号（以下「引用商標１５」という。）
商標の態様　別掲９のとおり
登録出願日　平成２２年６月７日（優先権主張　フランス共和国　２００９年１２月８日商標登録出願）
設定登録日　平成２３年３月１１日
指定商品　　第２１類に属する商標登録原簿に記載の商品
（１６）登録第５４１２１２８号（以下「引用商標１６」という。）
商標の態様　別掲９のとおり
登録出願日　平成２２年６月７日（優先権主張　フランス共和国　２００９年１２月８日商標登録出願）
設定登録日　平成２３年５月１３日
指定商品　　第６類に属する商標登録原簿に記載の商品
３　当審の判断
（１）本願商標について
　本願商標は，上記１のとおり，「ＥＬＭＥＳ」の欧文字を標準文字で表してなるところ，当該文字は，辞書等に載録のないものであって，特定の意味合いを想起させることのない一種の造語として認識されるものであるから，我が国において親しまれた英語風の「エルメス」の称呼を生じ，特定の観念を生じないものである。
（イ）引用各商標について
　引用各商標は，いずれも「ＨＥＲＭＥＳ」（後半の「Ｅ」にはアクサンテギュが付されている。以下同じ。）の欧文字又は「エルメス」の片仮名を要部とするものであり，これらの各文字はいずれもフランス共和国パリ市在の「エルメス・アンテルナショナル社」が装身具，かばん類，被服，履物等のファッション製品に使用し，遅くとも本願商標の登録出願時において取引者，需要者間において広く知られているものと認められるから，「エルメス」の称呼を生じ，エルメス・アンテルナショナル社の使用する著名なブランド「ＨＥＲＭＥＳ」の観念を生ずるものである。
（３）本願商標と引用各商標との対比
　本願商標と引用各商標とを対比すると，外観においては，全体の構成が著しく異なるものであり，引用各商標（引用商標６を除く。）中の「ＨＥＲＭＥＳ」の文字部分と本願商標「ＥＬＭＥＳ」とを比較してみても，両者は，前者が６文字構成，後者が５文字構成という明らかな差異を有し，後半において「ＭＥＳ」の文字を共通にするが，看者の注意を最もひく冒頭の「ＨＥＲ」と「ＥＬ」の文字の明確な差違を有するばかりでなく，後半の「Ｅ」の文字のアクサンテギュの有無の差異を有するから，これらの差異が両者の構成全体の印象に与える影響は少なくなく，外観上，判然と区別し得る差異を有するものである。
　加えて，本願商標と引用商標６とを対比すると，本願商標は欧文字で表されているのに対して，引用商標６は片仮名で表されているから，両商標は，外観上，判然と区別し得る差異を有するものである。
　次に，称呼においては，本願商標と引用各商標とは，いずれも「エルメス」の称呼が生ずるものである。
　さらに，観念においては，本願商標は特定の観念を生じないものであるのに対し，引用各商標はいずれも著名なブランド「ＨＥＲＭＥＳ」の観念を生ずるものであるから，両商標は，観念上，類似しないものである。
（４）判断
　本願商標と引用各商標は，「エルメス」の称呼を共通にするとしても，外観及び観念については，上述のとおりの差異がある。しかも，引用各商標は，フランス共和国パリ市在の「エルメス・アンテルナショナル社」が装身具，かばん類，被服，履物等のファッション製品に使用し，我が国において，著名なブランド「ＨＥＲＭＥＳ」を表すものとして認識されるものである。
　以上を総合的に考察するならば，本願商標は，その指定商品中「金属製金具，金属製のネームプレート及び標札，金属製帽子掛けかぎ，金属製のタオル用ディスペンサー，金属製建具，金庫」に使用された場合，取引者，需要者に与える印象，記憶，連想が，引用各商標の「ＨＥＲＭＥＳ」又は「エルメス」とは，大きく異なるものといえるから，両商標は，商品の出所について混同を生じるおそれはなく，互いに非類似の商標というのが相当である。
（５）結論
　したがって，本願商標が引用各商標に類似するものとして，本願商標を商標法４条１項１１号に該当するとした原査定は，取消しを免れない。
　その他，本願について拒絶の理由を発見しない。
　よって，結論のとおり審決する。